(57)【要約】【課題】夜間に或いは遠くから認識し易くするための標識、及び、家庭、会社、公共施設、宿泊施設などのイメージアップの標識としての機能を十分に果たすことができる充電スタンドを提供する。【解決手段】この充電スタンド１は、自動車の二次電池を充電用ケーブルを通して充電し得るものであって、大略筒状をなして直立するスタンド本体２と、スタンド本体２に取り付けられ、充電用ケーブルのコネクタが差し込まれる充電用コンセント３と、スタンド本体２の天部２１の上方に取り付けられる照明部４と、照明部４の点灯制御を行う制御部５と、を備え、照明部４は、照明灯４１と、照明灯４１を覆って照明灯４１の光を透過する所定の立体図柄の陶器製の照明カバー４２と、を有して構成され、照明カバー４２を通して照明灯４１の光が放射される。【選択図】図２
2014018009.tif 000002
【特許請求の範囲】
【請求項１】
自動車の二次電池を充電用ケーブルを通して充電し得る充電スタンドであって、
大略筒状をなして直立するスタンド本体と、
前記スタンド本体に取り付けられ、前記充電用ケーブルのコネクタが差し込まれる充電用コンセントと、
前記スタンド本体の天部の上方に取り付けられる照明部と、
前記照明部の点灯制御を行う制御部と、
を備え、
前記照明部は、
照明灯と、
前記照明灯を覆って前記照明灯の光を透過する所定の立体図柄の陶器製の照明カバーと、を有して構成され、
前記照明カバーを通して前記照明灯の光が放射されることを特徴とする充電スタンド。
【請求項２】
請求項１に記載の充電スタンドにおいて、
前記制御部は、充電中には前記照明灯が点滅し、充電中以外では前記照明灯が点灯し続けるか又は消灯するように制御を行うことを特徴とする充電スタンド。
【請求項３】
請求項１又は２に記載の充電スタンドにおいて、
前記照明灯の光が下方に漏れて前記充電用コンセントの近傍にも放射されることを特徴とする充電スタンド。
【請求項４】
請求項１〜３のいずれか１項に記載の充電スタンドにおいて、
前記スタンド本体の天部は、該スタンド本体から分離可能な平板状の照明取付部と、該スタンド本体の他の部分と一体に形成された基部と、から構成され、
前記照明カバーは、前記照明取付部に固定され、該照明取付部が前記基部に固定されていることを特徴とする充電スタンド。
【発明の詳細な説明】
【技術分野】
【０００１】
本発明は、電気自動車などの充電に使用される充電スタンドに関する。
【背景技術】
【０００２】
近年、大容量の二次電池とその二次電池に蓄えられた電力で動作する電動機を備え、電動機の動力を用いて走行できる電気自動車やハイブリッド自動車（以下、電気自動車等と称する）が、低公害車普及促進などの点から注目されている。この二次電池を充電するためには、１００Ｖ或いは２００Ｖの商用交流電源による電力を、充電用ケーブルを介して供給すればよいので、家庭、会社、公共施設、宿泊施設などの敷地内にも、充電用の設備を設置することが比較的容易にできる。
【０００３】
このような充電用の設備として、充電スタンドが用いられることも少なくない。充電スタンドは、地面に直立して設けられ、地中に敷設した送電線から電力が供給される。このような充電スタンドは、従来のガソリン車に対応するガソリンスタンドの設備に比べて極めて簡素で小型のものである。
【０００４】
充電スタンドについては、これまでに幾つかの提案がなされている。例えば、特許文献１には、地面に直立したスタンド本体の一部を形成するコンセントブロックの筐体の内天面に照明灯を設置し、筐体の内壁に設けられた充電用コンセントに充電用ケーブルのコネクタを差し込み易くすることが記載されている。
【先行技術文献】
【特許文献】
【０００５】
【特許文献１】特開２０１１−１０３２８７号公報
【発明の概要】
【発明が解決しようとする課題】
【０００６】
ところで、充電スタンドの照明部は、充電作業等に必要な照明の機能を果たす他に、夜間に或いは遠くから認識し易くするための標識、及び、家庭、会社、公共施設、宿泊施設などのイメージアップの標識としての機能を果たすのが好ましい。しかし、特許文献１を含め従来の充電スタンドでは、標識という面での配慮は殆どなされておらず、そのような面で工夫の余地が有る。
【０００７】
本発明は、係る事由に鑑みてなされたものであり、その目的は、夜間に或いは遠くから認識し易くするための標識、及び、家庭、会社、公共施設、宿泊施設などのイメージアップの標識としての機能を十分に果たすことができる充電スタンドを提供することにある。
【課題を解決するための手段】
【０００８】
上記目的を達成するために、請求項１に記載の充電スタンドは、自動車の二次電池を充電用ケーブルを通して充電し得る充電スタンドであって、大略筒状をなして直立するスタンド本体と、前記スタンド本体に取り付けられ、前記充電用ケーブルのコネクタが差し込まれる充電用コンセントと、前記スタンド本体の天部の上方に取り付けられる照明部と、前記照明部の点灯制御を行う制御部と、を備え、前記照明部は、照明灯と、前記照明灯を覆って前記照明灯の光を透過する所定の立体図柄の陶器製の照明カバーと、を有して構成され、前記照明カバーを通して前記照明灯の光が放射されることを特徴とする。
【０００９】
請求項２に記載の充電スタンドは、請求項１に記載の充電スタンドにおいて、前記制御部は、充電中には前記照明灯が点滅し、充電中以外では前記照明灯が点灯し続けるか又は消灯するように制御を行うことを特徴とする。
【００１０】
請求項３に記載の充電スタンドは、請求項１又は２に記載の充電スタンドにおいて、前記照明灯の光が下方に漏れて前記充電用コンセントの近傍にも放射されることを特徴とする。
【００１１】
請求項４に記載の充電スタンドは、請求項１〜３のいずれか１項に記載の充電スタンドにおいて、前記スタンド本体の天部は、該スタンド本体から分離可能な平板状の照明取付部と、該スタンド本体の他の部分と一体に形成された基部と、から構成され、前記照明カバーは、前記照明取付部に固定され、該照明取付部が前記基部に固定されていることを特徴とする。
【発明の効果】
【００１２】
本発明の充電スタンドによれば、照明部は、所定の立体図柄の陶器製の照明カバーを通して照明灯の光が放射されるので、夜間に或いは遠くから認識し易くするための標識、及び、家庭、会社、公共施設、宿泊施設などのイメージアップの標識としての機能を十分に果たすことができる。
【図面の簡単な説明】
【００１３】
【図１】本発明の実施形態に係る充電スタンドの正面図であって、（ａ）が外観図、（ｂ）が照明カバーを取り去って、かつ、スタンド本体の手前の外壁を透かして示す図である。
【図２】同上の充電スタンドの右側面図であって、（ａ）が外観図、（ｂ）が照明カバーを取り去って、かつ、スタンド本体の手前の外壁を透かして示す図である。
【図３】同上の充電スタンドの照明部とその近傍を構成する各部の底面図であって、（ａ）が照明カバー、（ｂ）がスタンド本体の天部の照明取付部、（ｃ）がスタンド本体の天部の基部である。
【図４】同上の充電スタンドの照明部とその近傍を構成する各部の変形例の底面図であって、（ａ）が照明カバー、（ｂ）がスタンド本体の天部の照明取付部、（ｃ）がスタンド本体の天部の基部である。
【発明を実施するための形態】
【００１４】
以下、本発明を実施するための形態を図面を参照しながら説明する。本発明の実施形態に係る充電スタンド１は、電気自動車等の自動車の二次電池を充電用ケーブルを通して充電し得るものであり、図１及び図２に示すように、大略筒状をなして直立するスタンド本体２と、スタンド本体２に取り付けられ、充電用ケーブルＣＡのコネクタＣＣが差し込まれる充電用コンセント３と、スタンド本体２の天部２１の上方に取り付けられる照明部４と、照明部４の点灯制御を行う制御部５を備えている。なお、図２（ｂ）においては、充電用ケーブルＣＡとそのコネクタＣＣの例を破線で示している。
【００１５】
スタンド本体２は、大略筒状をなしておれば、形状が限定されるものではなく、例えば、略角筒状のものや略円筒状のものが可能である。スタンド本体２の天部２１は、スタンド本体２の上端を閉塞するものであり、照明部４が取り付け可能ならば、形状が限定されるものではないが、後述するように、照明部４を取り付けるために、スタンド本体２から分離可能な平板状の照明取付部２１ａと、スタンド本体２の他の部分と一体に形成された基部２１ｂと、から構成されるようにできる。
【００１６】
充電用コンセント３には、地中に敷設した送電線５１の１００Ｖ又は２００Ｖの商用交流電源の電力が内部の配線（図示せず）を介して供給される。充電用コンセント３は、スタンド本体２の内側に取り付けられている。充電用ケーブルＣＡのコネクタＣＣは、スタンド本体２の側面に取り付けられている扉２２を開いて、その中に入れられ、充電用コンセント３に差し込まれる。この扉２２には、鍵２２ａを設けて、長時間充電するとき或いは充電用コンセント３を使用しないときには、鍵をかけることができる。また、扉２２に、下部が開口する突起部２２ｂを設けて、図２（ｂ）に示すように、扉２２を閉じても充電用ケーブルＣＡが引き出せるようにすることができる。
【００１７】
照明部４は、照明灯４１と、それを覆う照明カバー４２と、を有して構成されている。照明灯４１の光は、照明カバー４２を通して放射される。
【００１８】
照明灯４１は、その形状等が特に限定されるものではないが、公知の電球型ＬＥＤを用いることができる。照明灯４１の光量は、周囲の状況に合わせて選択されるが、例えば、６０Ｗ電球相当が可能である。
【００１９】
照明カバー４２は、照明灯４１の光を透過する所定の立体図柄の陶器製のものである。この照明カバー４２は、底部に開口部４２ａが設けられており（図３（ａ）参照）、そこから照明灯４１が挿入される。照明カバー４２は、陶器製であるので、家庭、会社、公共施設、宿泊施設などが自身を良好に表示する立体図柄のものを、一品製作物或いは少量多品種物として容易に製作できる。立体図柄は、会社、公共施設、宿泊施設などならば、そのシンボルキャラクタとすることができる。例えば、滋賀県の信楽地方ゆかりの会社、公共施設、宿泊施設などならば、図１（ａ）及び図２（ａ）に示すようなたぬきの立体図柄とすることもできる。照明カバー４２は、陶器製であるので、長年、変質することもなく雨風に対して耐えることができる。  
【００２０】
陶器製の照明カバー４２は、所定の練り土を所定の立体図柄に成形し、焼成して出来上がる。この所定の練り土は、出来上がった照明カバー４２が照明灯４１の光を透過するようにするために、例えば、特開２０１１−１０２１９９に記載されているような練り土を用いることができる。すなわち、この練り土は、粒子径が５〜７０μｍ程度の石英ガラス粉末の骨材と、この骨材を保持するためのバインダーと、粘土等と、を含有しており、骨材の割合が４０〜７０重量％となっているものを用いることができる。陶器製の照明カバー４２は、厚みが例えば１０〜２０ｍｍ程度として、光を十分に透過するものとすることができる。なお、出来上がった照明カバー４２が照明灯４１の光を透過できれば、練り土は限定されるものではない。
【００２１】
照明部４をスタンド本体２の天部２１に取り付ける方法としては、特に限定されるものではないが、簡便な方法として以下の方法が可能である。すなわち、天部２１を、上述したように照明取付部２１ａと基部２１ｂとから構成されるようにする。そして、照明取付部２１ａに、図１（ｂ）及び図２（ｂ）に示すように、ソケット４１Ａを固定し、そのソケット４１Ａに照明灯４１を装着する。そして、照明カバー４２を照明取付部２１ａに固定し、この照明取付部２１ａを基部２１ｂに重ねて配置し固定する。
【００２２】
なお、詳細には、図１（ｂ）及び図２（ｂ）に示すように、ソケット４１Ａは、ソケット固定部材２１ａａによって照明取付部２１ａに固定される。また、図３（ａ）、（ｂ）に示すように、照明カバー４２を照明取付部２１ａに固定するために、照明カバー４２には複数の貫通孔４２ｂが形成されており、照明取付部２１ａには、照明カバー４２の複数の貫通孔４２ｂに対応する位置に複数の貫通孔２１ａｂが形成されている。貫通孔４２ｂと貫通孔２１ａｂに上方からボルトを通しそのボルトにナットを螺合させて締結する。また、図３（ｂ）、（ｃ）に示すように、照明取付部２１ａを基部２１ｂに固定するために、照明取付部２１ａには複数のねじ孔２１ａｃが形成されており、基部２１ｂには、照明取付部２１ａの複数のねじ孔２１ａｃに対応する位置に複数の貫通孔２１ｂａが形成されている。貫通孔２１ｂａに下方からボルトを通し、ねじ孔２１ａｃに螺合させて締結する。図３（ｂ）の符号２１ａｄはソケット４１Ａにつながれる配線が通る照明取付部２１ａの貫通孔であり、図３（ｃ）の符号２１ｂｂは、基部２１ｂの中央貫通孔である。
【００２３】
また、照明灯４１の光が下方に漏れて充電用コンセント３の近傍にも放射されるようにすることも可能である。例えば、照明カバー４２の開口部４２ａ、照明取付部２１ａの貫通孔２１ａｄ、及び基部２１ｂの中央貫通孔２１ｂｂを、照明灯４１の光が下方に十分に漏れるような大きさにする。また、例えば、スタンド本体２の天部２１及び／又は照明カバー４２の底部に光通過窓部を形成することも可能である。具体的には、図４に例示するように、照明取付部２１ａと照明カバー４２の底部に、その一部を切り取ることで光通過窓部２１ａｅ、４２ｃを形成することができる。このようにして、照明灯４１の光が下方に漏れて充電用コンセント３の近傍にも放射されるようにすると、別に光源を設けることなく、充電用コンセント３に充電用ケーブルＣＡのコネクタＣＣを差し込む作業をし易くできる。
【００２４】
以上説明した照明部４は、所定の立体図柄の陶器製の照明カバー４２を通して照明灯４１の光が放射されるので、夜間に或いは遠くから認識し易くするための標識、及び、家庭、会社、公共施設、宿泊施設などのイメージアップの標識としての機能を十分に果たすことができる。照明灯４１の光は、陶器製の照明カバー４２により程良く拡散されており、景観として周囲と調和し易い。
【００２５】
照明カバー４２は、それから放射される光に濃淡を付けて遠くから図柄を認識し易くするために、立体図柄に応じた肉厚と肉薄の部分を設けて上記の練り土を成形するも可能である。或いは、上記の練り土と通常の練り土を組み合わせて成形することによって、照明カバー４２から放射される光に濃淡を付けることも可能である。
【００２６】
制御部５には、地中に敷設した送電線５１がスタンド本体２の底部から引き入れられて、１００Ｖ又は２００Ｖの商用交流電源の電力が伝送される。制御部５は、直流電圧（例えば、２４Ｖ）への変換器５２が設けられ、その直流電圧を用いて、照明部４（すなわち、照明灯４１）の点灯制御やその他の各部の必要な制御が行われる。
【００２７】
この制御部５は、充電中には照明灯４１が点滅（例えば、点灯時間が１秒で消灯時間が５秒の点滅を）するようにできる。こうすると、充電スタンド１を使用して充電していることが遠方からでも分かる。また、夜間充電スイッチ５３を充電用コンセント３の付近などに設けて、それを押してオン状態にすると、電気料金が割安な所定の夜間時間（例えば、午後１１時から午前７時までの時間）のみに充電するように制御することもできる。また、モード切り替えスイッチ５４を設けて、充電中以外において、夕方から朝方までの季節に応じた所定の時間帯に点灯し続けるモードと、消灯するモード（エコ点灯モード）と、を選択可能なように制御することもできる。
【００２８】
以上、本発明の実施形態である充電スタンドについて説明したが、本発明は、実施形態に記載したものに限られることなく、特許請求の範囲に記載した事項の範囲内でのさまざまな設計変更が可能である。
【符号の説明】
【００２９】
１    充電スタンド
２    スタンド本体
２１  スタンド本体の天部
２１ａ  スタンド本体の天部の照明取付部
２１ｂ  スタンド本体の天部の基部
３    充電用コンセント
４    照明部
４１  照明灯
４２  照明カバー
５    制御部
【図１】
2014018009.tif 000003
【図２】
2014018009.tif 000004
【図３】
2014018009.tif 000005
【図４】
2014018009.tif 000006